(57)【要約】【課題】第三世代携帯電話通信方式と次世代通信方式の二つの通信方式で通話可能なマルチモード端末装置においては、消費電力の更なる削減が要望されている。【解決手段】  ＷＣＤＭＡ方式による通信を処理する第１の通信処理部（７０２）と、次世代通信方式による通信を処理する第２の通信処理部（７０３）とを具備した複数のマルチモード端末（ＭＳ＿ＰＳ＿１）およびマルチモード基地局（Ｍ＿ＢＳ＿１）とを備え、マルチモード端末は、待ち受け時に第１の通信処理部は起動状態とし、第２の通信処理部は停止状態とし、マルチモード基地局からマルチモード端末に向けてＷＣＤＭＡ方式で送信される、次世代通信方式の起動要求が、ＷＣＤＭＡ信方式の呼び出しチャネルのフレームフォーマット（ＰＩＣＨ）の１２ビットの未使用フィールドに格納されている。【選択図】  図１０
2007300420.tif 000002
【特許請求の範囲】
【請求項１】
第１の通信方式による通信を処理する第１の通信処理部と、前記第１の通信方式より高
速通信が可能な第２の通信方式による通信を処理する第２の通信処理部とを具備した複数
のマルチモード端末およびマルチモード基地局とを備え、
前記マルチモード端末は、待ち受け時に前記第１の通信処理部は起動状態とし、前記第
２の通信処理部は停止状態とし、
前記マルチモード基地局から前記マルチモード端末に向けて前記第１の通信方式で送信
される前記第２の通信方式の起動要求は、前記第１の通信方式の呼び出しチャネルのフレ
ームフォーマットの一部の所定フィールドに格納されていることを特徴とする移動通信シ
ステム。
【請求項２】
前記所定フィールドの一部または全部に通信方式を識別する情報を割り当てることを特
徴とする請求項１記載の移動通信システム。
【請求項３】
前記所定フィールドの一部を、前記第１の通信方式と第２の通信方式を識別するために
使用し、さらに、残りの一部あるいは全部を前記第１の通信方式のフレームと前記第２の
通信方式のフレーム間の時間オフセット値に使用することを特徴とする請求項１記載の移
動通信システム。
【請求項４】
前記複数のマルチモード端末は複数のグループに分けられており、前記第１の通信方式
の呼び出しチャネルのフレームフォーマットにおけるページングインジケータ部のビット
と前記ページングインジケータ部以外の領域である前記所定フィールドのビットとを、呼
び出すグループ毎に対応付けて用いることを特徴とする請求項１記載の移動通信システム
。
【請求項５】
１つの呼び出しグループに割り当てられたページングインジケータ部のビットの総送信
電力値と未使用前記所定フィールド中に割り当てられたビットの総送信電力値とを等しく
することを特徴とする請求項４記載の移動通信システム。
【請求項６】
第１の通信方式と前記第１の通信方式より高速通信が可能な第２の通信方式により通信
を行うことができるマルチモード基地局と通信を行う無線端末装置であって、
前記第１の通信方式による通信を処理する第１の通信処理部と、前記第２の通信方式に
よる通信を処理する第２の通信処理部と、
前記マルチモード端末は、待ち受け時に前記第１の通信処理部は起動状態とし、前記第
２の通信処理部は停止状態とし、
前記マルチモード基地局から前記マルチモード端末に向けて前記第１の通信方式で送信
される前記第２の通信方式の起動要求が、前記第１の通信方式の呼び出しチャネルのフレ
ームフォーマットの一部の所定フィールドに格納されているか否かを検出する起動検出部
と、
前記起動検出部で第２の通信方式の起動要求を検知したことに応答して前記第２の通信
処理部の電源を制御する制御部とを備えたことを特徴とする無線端末装置。
【発明の詳細な説明】
【技術分野】
【０００１】
この発明は、携帯電話システムなどの移動通信システムおよび無線端末装置に関する。
【背景技術】
【０００２】
移動通信分野は、急速に進歩しており、日本ではＰＤＣ方式（Ｐｅｒｓｏｎａｌ  Ｄｉ
ｇｉａｌ  Ｃｅｌｌｕｌａｒ）やいわゆる第三世代携帯電話の通信方式であるＷＣＤＭＡ
方式（Ｗｉｄｅｂａｎｄ  ＣＤＭＡ：ｃｏｄｅ  ｄｉｖｉｓｉｏｎ  ｍｕｌｔｉｐｌｅ  
ａｃｃｅｓｓ）などが採用されている。ヨーロッパではＧＳＭ方式（Ｇｌｏｂａｌ  Ｓｙ
ｓｔｅｍ  ｆｏｒ  Ｍｏｂｉｌｅ  ｃｏｍｍｕｎｉｃａｔｉｏｎ）やＷＣＤＭＡ方式等が
採用されている。
【０００３】
このように複数の通信方式が運用されている状況において、複数のサービスを受けるた
めに、複数の通信方式で通信可能なマルチモード端末が開発されている（たとえば、特許
文献１）。
【０００４】
この文献に開示されている発明は、マルチシステム（ＰＤＣとＷＣＤＭＡ）において待
ち受け時はＰＤＣのＰＣＨ（ページングチャネル：呼び出しチャネル）を使用することに
よって、待ち受け時間を延ばすというものである。
【０００５】
ところで、現在、ＷＣＤＭＡ方式よりもさらに高速通信可能な次世代通信方式の規格が３
ＧＰＰ（３ｒｄ  Ｇｅｎｅｒａｔｉｏｎ  Ｐａｒｔｎｅｒｓｈｉｐ  Ｐｒｏｊｅｃｔ）で
検討されている。次世代通信方式では変調方式としてＯＦＤＭ（Ｏｒｔｈｏｇｏｎａｌ  
Ｆｒｅｑｕｅｎｃｙ  Ｄｉｖｉｓｉｏｎ  Ｍｕｌｔｉｐｌｅｘ）変調が採用される可能性
が高い。このため、受信機は信号処理にＦＦＴ（高速フーリエ変換）を使用するため消費
電力が大きい。よって、受信処理に要する消費電力を抑える必要がある。
【特許文献１】特開２００３−１６９３７９公報（図２、図３）
【発明の開示】
【発明が解決しようとする課題】
【０００６】
上述したように、所謂第三世代方式であるＷＣＤＭＡ方式よりもさらに高速通信が可能
な次世代通信方式が検討されており、この二つの通信方式で通話可能なマルチモード端末
においては消費電力の更なる削減が要望されている。
【０００７】
本発明は、このような問題点を解決するためになされたものであり、消費電力の削減を
図ることができる移動通信システムおよびこのシステムで用いられる無線端末装置を提供
することを目的とする。
【課題を解決するための手段】
【０００８】
上記課題を解決するために本発明の移動通信システムは、第１の通信方式による通信を
処理する第１の通信処理部と、前記第１の通信方式より高速通信が可能な第２の通信方式
による通信を処理する第２の通信処理部とを具備した複数のマルチモード端末およびマル
チモード基地局とを備え、前記マルチモード端末は、待ち受け時に前記第１の通信処理部
は起動状態とし、前記第２の通信処理部は停止状態とし、前記マルチモード基地局から前
記マルチモード端末に向けて前記第１の通信方式で送信される前記第２の通信方式の起動
要求は、前記第１の通信方式の呼び出しチャネルのフレームフォーマットの一部の所定フ
ィールドに格納されていることを特徴とする。
【発明の効果】
【０００９】
ＷＣＤＭＡ方式のような所謂第三世代通信方式とこれより高速通信が可能な次世代通信
方式との二つの通信方式で通話可能なマルチモード端末において、待ち受けから着信まで
の消費電力の削減が可能となる。
【発明を実施するための最良の形態】
【００１０】
以下、本発明の実施形態について説明する。
【００１１】
まず初めに、図１、図２を用いてＷＣＤＭＡ方式における待ち受け動作について簡単に
説明する。ＷＣＤＭＡ方式では、端末への着信呼び出しにＰＩＣＨ（Ｐａｇｉｎｇ  Ｉｎ
ｄｉｃａｔｏｒ  Ｃｈａｎｎｅｌ）を使用する。ＰＩＣＨは、端末への着信呼び出しがあ
る場合に、その予告のために用いられる下り回線の共通チャネルである。図１はＰＩＣＨ
のフレーム構成を示す図である。ＰＩＣＨのフレーム長は１０ｍｓで３００ビットからな
る。このうち２８８ビットはページングインジケータ（ＰＩ；Ｐａｇｉｎｇ  Ｉｎｄｉｃ
ａｔｏｒ）の伝送に使用され、残りの１２ビットは無送信（ＤＴＸ）となっている未使用
領域である。
【００１２】
ＰＩＣＨのフレーム内のＮｐ個のページングインジケータは、［Ｐ０，  …，  ＰＮｐ
−１］の順序で時分割多重されて送信される。ここで１フレーム内のページングインジケ
ータの個数Ｎｐは、Ｎｐ＝１８，３６，７２，１４４のいずれかである。１つのページン
グインジケータで送信する情報は、“１”、“０”の２値である。また、１つのページン
グインジケータに対するＰＩＣＨ上のビット数は、２８８／Ｎｐとなる。端末はＮｐ個の
グループのどれかに属していて、自グループのタイミングでページングインジケータを受
信する。
【００１３】
次に、図２を用いてＷＣＤＭＡ方式におけるＰＩＣＨとページングメッセージの関係に
ついて説明する。端末は、自グループ宛のページングインジケータに「着信の可能性があ
り」と検出すると、次にページングメッセージを読みにいく。ページングメッセージは、
１０ｍｓ長のＳ−ＣＣＰＣＨ（Ｓｅｃｏｎｄａｒｙ Ｃｏｍｍｏｎ Ｃｏｎｔｒｏｌ Ｐｈ
ｙｓｉｃａｌ Ｃｈａｎｎｅｌ）と呼ばれるメッセージで送信される。このページングメ
ッセージの中に、自局宛ＩＤ等が含まれていたならば、端末は「自局への着信あり」と判
断して通信を開始する。以上がＷＣＤＭＡ方式における待ち受け動作の簡単な説明である
。
【００１４】
（第１の実施形態）
図３は本発明が前提としているシステムの概略である。図３に示すように、いま、ＷＣ
ＤＭＡ方式と、ＯＦＤＭ方式を使用した次世代通信方式（以下、「次世代通信方式」と称
する。）の両方をサービスできるマルチモード基地局Ｍ＿ＢＳ＿１と、ＷＣＤＭＡ方式の
みをサービス可能なシングルモード基地局Ｓ＿ＢＳ＿１とそれらの基地局を管理している
交換局があるとする。マルチモード基地局Ｍ＿ＢＳ＿１がカバーするＷＣＤＭＡのカバー
領域（セル）と次世代通信方式のカバー領域(セル)は同じ大きさである。また、図４のよ
うに、ＷＣＤＭＡのカバー領域中の一部のみ次世代通信方式がカバーすることでもよい。
【００１５】
マルチモード基地局Ｍ＿ＢＳ＿１とＷＣＤＭＡ方式と次世代通信方式の両者で通信可能
なマルチモード通信端末Ｍ＿ＰＳ＿１〜Ｍ＿ＰＳ＿ＮとＷＣＤＭＡ方式のみ通信可能なシ
ングルモード通信端末Ｓ＿ＰＳ＿１〜Ｓ＿ＰＳ＿Ｍがある。そして、待ち受け中のマルチ
モードならびにシングルモード通信端末への着信時、各基地局は端末を呼び出す際にはＷ
ＣＤＭＡ方式でＰＩＣＨを使用する。
【００１６】
各通信端末は、周期的に自局の属するグループに対応する前述したＰＩＣＨを監視して
いる。ＰＩＣＨはページングメッセージと１対１で対応しており、ＷＣＤＭＡならばペー
ジングメッセージはＳＣＣＰＣＨに載っている。次世代通信方式においても、このＰＩＣ
Ｈに対応したページングメッセージを載せたチャネルを用意しておく。
【００１７】
図５にＰＩＣＨとＷＣＤＭＡ方式のページングメッセージ、次世代通信方式ページング
メッセージの関係を示す。次世代通信方式におけるＰＩＣＨに対応したページングメッセ
ージを載せたチャネルをＰＣＨ２とする。ＷＣＤＭＡのフレームは１０ｍｓ長であり、次
世代通信方式のフレームは０．５ｍｓ長とする。つまり、各通信端末は、ＰＩＣＨで着信
可能性を検出した場合、ＷＣＤＭＡ方式ならば最低１０ｍｓ長のページングメッセージを
、一方、次世代通信方式ならば最低０．５ｍｓ長のページングメッセージを受信する必要
がある。これより、ページングメッセージの受信に関しては次世代通信方式の方がＷＣＤ
ＭＡ方式と比較して、次世代通信方式の帯域幅にも依存するが、消費電力が小さくなる可
能性がある。よって、本発明では、ＰＩＣＨでの着信検出後のページングメッセージに関
してはＷＣＤＭＡ方式と次世代通信方式で共用せずに、次世代通信方式用にＰＣＨ２を設
けている。
【００１８】
図６はマルチモード基地局におけるＷＣＤＭＡ方式と次世代通信方式のフレーム同期に
ついて説明する図である。図６に示すように、マルチモード基地局は、ＷＣＤＭＡ方式の
フレームと次世代通信方式のフレームとの同期をとって運用しているとする。ここでは両
方式のフレームタイミングを一致させているが、たとえば、ＷＣＤＭＡフレームから常に
固定値（Ｘ秒）だけ遅らせて次世代通信方式のフレームを開始してもよい。ここで、ＷＣ
ＤＭＡの1フレーム長を１０ｍｓ、次世代通信方式の１フレーム長を０．５ｍｓとしてい
る。
【００１９】
図７はマルチモード通信端末（Ｍ＿ＰＳ＿１）の概略構成を示す図である。図７に示す
ように、マルチモード通信端末（Ｍ＿ＰＳ＿１）は、無線部７０１、ＷＣＤＭＡ信号処理
部７０２、次世代通信処理部７０３、起動検出部７０４、制御部７０５から構成される。
【００２０】
無線部７０１は、受信時は受信ＲＦ信号をベースバンド信号へ変換し、送信時は逆にベ
ースバンド信号をＲＦ信号へ変換する。ここで無線部ブロックは１つとして記述してある
が、ＷＣＤＭＡ方式用と次世代通信方式用の２つを別々の回路で構成してもよい。
【００２１】
ＷＣＤＭＡ信号処理部７０２は、ＷＣＤＭＡ方式によるベースバンド処理を行う。次世
代通信処理部７０３は、次世代通信方式によるベースバンド処理を行う。
【００２２】
起動検出部７０４は、ＷＣＤＭＡ信号処理部７０２で処理するＰＩＣＨ信号から、着信
が次世代通信方式であると検出したときに制御部７０５へその旨を知らせる。
【００２３】
制御部７０５は、起動検出部７０４からの情報によって、ＷＣＤＭＡ信号処理部７０２
と次世代通信処理部７０３の電源制御を行う。
【００２４】
マルチモード基地局がマルチモード通信端末との通信において、ＷＣＤＭＡ方式を使用
するか、次世代通信方式を使用するかは、基本的には音声のように低速通信の場合はＷＣ
ＤＭＡ方式を選択し、高速なデータ通信を必要とするアプリケーションの場合は次世代通
信方式を選択する。また、マルチモード基地局は、現在位置登録している通信端末が、シ
ングルモード通信端末かマルチモード通信端末なのかを把握している。
【００２５】
次に、図８、図９を用いて通信端末の呼び出しグループ構成について説明する。ＰＩＣ
Ｈにおいて呼び出すことの可能なグループ数をＮｐ個とする。呼び出しグループのグルー
プ分けは例えば図８、図９に示すようなパターンが考えられる。すなわち、図８に示すよ
うにマルチモード通信端末とシングルモード通信端末が混在してもよいし、図９に示すよ
うにマルチモード通信端末のみのグループやシングルモード通信端末のグループとなって
もよい。
【００２６】
本実施形態では、マルチモード基地局が呼び出し信号ＰＩＣＨを送信するとき、マルチ
モード通信端末を同時に（同じフレームで）２台以上呼び出すことはしない。たとえば、
図８のグループ１のＭ＿ＰＳ＿１とグループ２のＭ＿ＰＳ＿４に着信があるとしたとき、
グループ１とグループ２を同時に呼び出すことはせず、時間をずらして異なるフレームで
呼び出しする。もし、グループ１のＭ＿ＰＳ＿１とグループ２のＳ＿ＰＳ＿２とグループ
ＮｐのＳ＿ＰＳ＿３に着信があるときならば、実質的に呼び出されるマルチモード通信端
末の数が１つであるため、グループ１とグループ２とグループＮｐを同時に呼び出すこと
はできる。
【００２７】
以上のような前提において、本発明では、ＰＩＣＨのフレーム構造を以下のようにする
。すなわち、図１０に示すように、ページングインジケータ部（フレームの先頭から２８
８ビット）はＷＣＤＭＡで使用しているのと同じように各呼び出しグループに対応させて
使用する。そして、ＰＩＣＨの１２ビットの未使用フィールドについては、マルチモード
基地局の場合、マルチモード通信端末へ次世代通信方式での着信ならば、図１０のように
この１２ビットフィールドに“１”を入れ、ＷＣＤＭＡ方式での着信の場合には無送信あ
るいは“０”を送信する。シングルモード基地局の場合には、ＷＣＤＭＡ方式での使用と
同じように、この１２ビットフィールドは無送信とする。
【００２８】
図１０に示すＰＩＣＨのフレーム構造では、次世代通信方式での着信時に、１２ビット
すべてを使用すると書いているが、１２ビット中の一部のビットのみを使用してもよい。
【００２９】
たとえば図１１、図１２、図１３に示すように、１つのグループに対してページングイン
ジケータとして使用しているビット数と同じビット数にしてもよい。すなわち、Ｎｐ＝１
４４ならば２ビット、Ｎｐ＝７２ならば４ビット、Ｎｐ＝３６ならば８ビットとし、残り
のビットは無送信としてもよい。
【００３０】
また、図１１、図１２、図１３では、１２ビット未使用フィールドの先頭から使用してい
るが、特に先頭にこだわる必要はなく、１２ビット中のどの部分を使用してもよい。
【００３１】
次に図１４を用いて、基地局と通信端末の動作について説明する。図１４はマルチモー
ド通信端末における待ち受けから、次世代通信方式での着信、通信開始・終了までの流れ
を示すフロー図である。シングルモード基地局並びにマルチモード基地局は、ＷＣＤＭＡ
方式と同様に周期的に報知チャネル（Ｂｒｏａｄｃａｓｔ  Ｃｈａｎｎｅｌ：ＢＣＨ）を
送信している。シングルモード通信端末は、現在運営されているＷＣＤＭＡ方式と同じ動
き、つまり、ＰＩＣＨの対応する部分を観測し、着信可能性を検出したらＳＣＣＰＣＨの
ページングメッセージを見に行き、自局端末への着信かどうかを判断する。
【００３２】
マルチモード通信端末は、電源ＯＮとしたとき、初期状態として、ＷＣＤＭＡ信号処理
部７０２（図７参照）を用いてＷＣＤＭＡモードで起動する（ステップＳ１４０１）。そ
して、ＷＣＤＭＡ方式で報知チャネル（ＢＣＨ）を受信し、自己の群情報を取得し（ステ
ップＳ１４０２）、位置登録を行った後に、ＷＣＤＭＡモードでの待ち受け状態になる（
ステップＳ１４０３）。このとき、マルチモード通信端末が属しているセルがマルチモー
ド基地局の場合は、報知情報の中に次世代通信方式に関する情報、たとえばフレームタイ
ミング情報などを含めておいてもよい。
【００３３】
マルチモード基地局は、シングルモード通信端末宛にＷＣＤＭＡでの着信をする場合は
、ＰＩＣＨは現行のＷＣＤＭＡ方式と同様に、そのマルチモード通信端末に対応する２８
８ビット中のあるビット群を“１”とし、未使用領域は無送信とする。一方、マルチモー
ド通信端末宛に、次世代通信方式での着信の場合は、ＰＩＣＨにおけるページングインジ
ケータ部（２８８ビットの対応するビット）と未使用領域に“１”を入れて送信する。な
お、未使用領域の使用方法は上述した方法のどれかである。
【００３４】
マルチモード通信端末では、ステップＳ１４０３において周期的にＰＩＣＨを監視して
いるが、まず、ＰＩＣＨの２８８ビットの中の対応するビット位置を観測する。そして、
そのビット位置に着信可能性あり、つまり“１”を検出したら（ステップＳ１４０４）、
ＰＩＣＨの最後のフィールドである未使用部分に関しても受信信号を復調してみる（ステ
ップＳ１４０５）。もし、未使用部分に“１”を検出したら（ステップＳ１４０５でＯＮ
）、次世代通信方式での着信可能性ありと判断して、次世代通信処理部７０３を起動する
。すなわち、起動検出部７０４（図７参照）が、着信が次世代通信方式である旨を制御部
７０５へ知らせる。制御部７０５は、起動検出部７０４からの情報に応答して次世代通信
処理部７０３の電源制御を行う（ステップＳ１４０６）。
【００３５】
ここで、図１５を用いてマルチモード通信端末におけるページングインジケータ部の検
出と未使用フィールドである通信方式選択部の検出について簡単に説明する。マルチモー
ド通信端末のＷＣＤＭＡ信号処理部７０２と起動検出部７０４（図７参照）では、図１５
のように受信信号に対して、逆拡散部７０４１において、符号生成器７０４２から生成さ
れるＰＩＣＨに対応する符号で逆拡散を行い、検出器７０４３によって“１”か“０”を
判断する。そして、ページングインジケータ部に“１”を検出した場合、未使用フィール
ドの通信方式検出部に関しても同様に逆拡散し、検出器７０４３によって“１”か“０”
を判断する。ページングインジケータ部と通信方式選択部がともに“１”である場合、次
世代通信方式での着信と判断し、次世代通信処理部７０３を起動させる。ここで、ＰＩＣ
Ｈを、１フレーム全部復調することは消費電力の点で好ましくないため、図１５に示した
電源タイミングのように、タイミング制御部７０４４によるタイミング制御で、ページン
グインジケータ部と通信方式選択部に対応する時間のみ電源をＯＮとするようにする。
【００３６】
図１４のフロー図に戻り、次世代通信処理部７０３が起動したら、マルチモード通信端
末はそのＰＩＣＨに対応するページングメッセージが載っているＰＣＨ２を見に行く（ス
テップＳ１４０７）。ＰＣＨ２に、自局のＩＤが含まれていなければ、「着信無し（他局
宛て）」と判断して、次世代通信方式処理部の電源をＯＦＦにしてＷＣＤＭＡ方式での待
ち受けに戻る（ステップＳ１４０８）。一方、自局ＩＤを検出したら、「着信あり」と判
断し、次世代通信方式での通信を開始する（ステップＳ１４０９）。通信開始に伴い個別
チャネルの設定などを行うが、個別チャネル設定情報をページングメッセージの中に含ま
せておいてもよい。この通信を終了後、次世代通信処理部７０３の電源をＯＦＦとし、Ｗ
ＣＤＭＡ方式での待ち受けに戻る（ステップＳ１４０８）。
【００３７】
以上のように本実施形態では、ＰＩＣＨでの着信検出後のページングメッセージに関し
てはＷＣＤＭＡ方式と次世代通信方式で共用せずに、次世代通信方式用にＰＣＨ２を設け
ている。すなわち、ＰＩＣＨのフレーム構造を、ページングインジケータ部（フレームの
先頭から２８８ビット）はＷＣＤＭＡで使用しているのと同じように各呼び出しグループ
に対応させて使用し、ＰＩＣＨの１２ビットの未使用フィールドについては、マルチモー
ド基地局の場合、マルチモード通信端末へ次世代通信方式での着信ならば、この１２ビッ
トフィールドの全部または一部に“１”を入れる。これにより、次世代通信方式を含むマ
ルチモード端末における、待ち受け処理の消費電力は、次世代通信方式で待ち受けするの
に比べて少なくて済む。さらに既存のWCDMA方式をサービスしている基地局に対して修正
を加える必要がなく、マルチモード基地局に対してのみ修正を加えることでマルチモード
端末を収容していくことが可能となる。
【００３８】
（第２の実施形態）
次にＰＩＣＨにおいて同時に複数の次世代通信方式の着信を許容する場合について説明
する。
【００３９】
ＰＩＣＨにおいて呼び出すことの可能なグループ数をＮｐ個とする。各グループを構成す
る通信端末は、前述の図８や図９に示すグループ構成である。
【００４０】
マルチモード基地局が呼び出し信号ＰＩＣＨを送信するとき、マルチモード通信端末を
同時に（同じフレームで）１２台以下ならば呼び出せるとする。ＰＩＣＨのフレーム構造
は、ページングインジケータ部（フレームの先頭から２８８ビット）はＷＣＤＭＡで使用
しているのと同じように各呼び出しグループに対応させて使用する。そして、ＰＩＣＨの
１２ビットの未使用フィールドについては以下のようにする。
【００４１】
まずＮｐ＝１４４の場合を例として考えると、図１６のように、ページングインジケー
タ群の１から１２に対して未使用１２ビット領域の１ビット目を対応、群番号１３から２
４に２ビット目という具合に対応させる。つまり、マルチモード通信端末の呼び出しは、
たとえば群番号１〜１２に属するマルチモード通信端末の中からは1台のみ可能というこ
とになる。
【００４２】
図１７は、群番号１に属するマルチモード通信端末と、群１４４に属するマルチモード
通信端末を呼び出す場合のページングインジケータと未使用フィールド１２ビットのビッ
トとの対応関係を示したものである。マルチモード基地局において、マルチモード通信端
末へ次世代通信方式での着信ならば、ページングインジケータ部とこの１２ビットフィー
ルドの1ビットを対応させ、その1ビットに“１”を入れ、ＷＣＤＭＡ方式での着信の場合
には無送信あるいは“０”を送信する。
【００４３】
前述の図１６では、１２ビットの未使用領域を、１ビットずつ割り当てることにしたが
、図１８のように２ビットずつ割り当てるようにしてもよい。これは、ページングインジ
ケータ部が１群あたりの割り当てビット数が２ビットであることから、通信方式情報も２
ビットとして同程度の信頼性を持たせることを意味している。ただし、この場合、同時に
呼び出し可能なマルチモード通信端末の上限は６台となる。図１９は、このときの群番号
１に属するマルチモード通信端末と、群１４４に属するマルチモード通信端末を呼び出す
場合のページングインジケータと未使用１２ビット部のビットとの対応関係を示したもの
である。
【００４４】
ページングインジケータ部と通信方式選択情報部である未使用１２ビット領域の信頼性
を同等にする方法としては、ビット数を等しくしなくても、送信電力値を調整することで
可能である。具体的には、ページングインジケータ部が２ビットで、通信方式選択情報部
が１ビットの場合であれば、通信方式選択情報部の電力値をページングインジケータ部の
２倍で送信すればよい。
【００４５】
Ｎｐ＝７２の場合も対応関係の例を図２０に示しておく。Ｎｐ＝３６やＮｐ＝１８に関し
ても同様に対応関係をとることができる。基地局と通信端末の動作については、図１４と
同じであるので説明は省略する。このように、第２の実施形態では、ページングインジケ
ータ部のビットと未使用領域のビットを対応させて使用することにより、複数のマルチモ
ード端末を同時に呼び出すことができる。
【００４６】
（第３の実施形態）
次に、第３の実施形態について説明する。呼び出しグループ構成については前述したの
と同様、図８、図９のような構成である。
【００４７】
ＰＩＣＨのフレーム構造は、図２１に示すように、ページングインジケータ部（フレー
ムの先頭から２８８ビット）はＷＣＤＭＡで使用しているのと同じように各呼び出しグル
ープに対応させて使用する。そして、ＰＩＣＨの１２ビットの未使用フィールドについて
は以下のようにする。
【００４８】
すなわち、マルチモード基地局の場合、マルチモード通信端末へ次世代通信方式での着
信ならば、図２１のように１２ビット中の先頭２ビットに“１”を入れ、それに引き続き
、ＷＣＤＭＡフレームと次世代通信方式のフレームとオフセット値Ｙを送信する。ここで
言う「オフセット値」とは、図２２に示すようにＰＩＣＨフレーム終了後から次世代通信
方式のＰＣＨ２のフレーム先頭開始位置までの時間のことである。図２１の例では、次世
代通信方式での着信時に、１２ビット中の先頭２ビットに通信方式選択情報を、それに引
き続く１０ビットにオフセット情報を送信する。しかしながらこれに限らず、１２ビット
中の一部のビットのみを使用してもよい。たとえば図２３に示すように、通信方式選択情
報に２ビット、オフセット情報に８ビットとしてもよい。つまり、オフセット値を表現す
るのに必要なビット数があればよい。
【００４９】
次に基地局と通信端末の動きについて説明する。図２４は本実施形態におけるマルチモ
ード通信端末における待ち受けから、次世代通信での着信、通信開始・終了までの流れを
示すフロー図であるが、図１４と同一部分には同一符号を付し、詳しい説明は省く。図１
４と異なる点は、前述したオフセット値にしたがって、タイミング調整してＰＣＨ２を見
に行くステップＳ２５０１が付加された点である。
【００５０】
マルチモード通信端末が、ＰＩＣＨの未使用部分の先頭２ビット部分に“１”を検出し
たら、次世代通信方式での着信可能性ありと判断して、次世代通信処理部７０３（図７参
照）を起動する。このとき、次世代通信処理部７０３は、起動検出部７０４（図７参照）
で検出した先頭２ビットに引き続き送信されているフレームオフセット値に基づいて、Ｐ
ＣＨ２の検出タイミングを調整してＰＩＣＨに対応するページングメッセージが載ってい
るＰＣＨ２を見に行く（ステップＳ２５０１）。フレームオフセット値の検出は、図２５
に示すように、図１５に示した起動検出部７０４の処理にオフセット検出部７０４５を加
えて行う。オフセット検出部７０４５は、フレームオフセット値が格納されているフィー
ルドを復調してオフセット値を検出する。
【００５１】
本実施形態では、フレームオフセット値に基づいて、タイミングを調整してＰＣＨ２を
見に行く手順を設けたことにより、マルチモード基地局がＷＣＤＭＡのＰＩＣＨと次世代
通信方式のＰＣＨ２を同期させて運営する必要がなくなるので簡易な構成が可能となる。
【００５２】
以上、本発明の実施形態を説明したが、本発明は上述した実施形態に限定されるもので
はない。例えば、ＷＣＤＭＡ方式と次世代通信方式のマルチモードシステム以外に、ＧＳ
Ｍ方式と次世代通信方式という組み合わせも考えられる。この場合、ＧＳＭの呼び出しチ
ャネル（ページングチャネル）の未使用フィールドに通信方式選択の情報を含ませること
によって実現することができる。また、ＭＣ−ＣＤＭＡ（Ｍｕｌｔｉ  Ｃａｒｒｉｅｒ  
ＣＤＭＡ）として知られる別の第三世代携帯電話方式であるｃｄｍａ２０００と次世代通
信方式との組み合わせも考えられる。ｃｄｍａ２０００では、ＰＩＣＨに対応するチャネ
ルとしてクイックページングチャネル（ＱＰＣＨ）が存在する。端末はこのＱＰＣＨにお
いて自端末の対応するフィールドを観測しそこに着信可能性を検出したらページングメッ
セージを見に行くことになる。よって、上述した実施形態におけるＰＩＣＨをＱＰＣＨに
置き換えて、ＱＰＣＨの一部にｃｄｍａ２０００の着信か次世代通信方式の着信を示す情
報を入れることで、ｃｄｍａ２０００と次世代通信方式の組み合わせにおいても同様に低
消費電力化という効果を得ることができる。
【００５３】
本発明は上記実施形態そのままに限定されるものではなく、実施段階ではその要旨を逸
脱しない範囲で構成要素を変形して具体化できる。また、上記実施形態に開示されている
複数の構成要素の適宜な組み合わせにより、種々の発明を形成できる。例えば、実施形態
に示される全構成要素から幾つかの構成要素を削除してもよい。さらに、異なる実施形態
にわたる構成要素を適宜組み合わせてもよい。
【図面の簡単な説明】
【００５４】
【図１】ＷＣＤＭＡ方式のＰＩＣＨフレームフォーマットを示す図。
【図２】ＷＣＤＭＡにおけるＰＩＣＨとＳＣＣＰＣＨの関係を示す図。
【図３】ＷＣＤＭＡと次世代通信方式のカバー領域１（セル）を説明する図。
【図４】ＷＣＤＭＡと次世代通信方式のカバー領域２（セル）を説明する図。
【図５】ＰＩＣＨとＷＣＤＭＡページングメッセージ、次世代通信方式ページングメッセージの関係を示す図。
【図６】マルチモード基地局におけるＷＣＤＭＡと次世代通信方式のフレーム同期のようすを示す図。
【図７】本発明のマルチモード端末の概略構成図。
【図８】ＰＩＣＨによる呼び出しのためのグループ分けの例を示す図。
【図９】ＰＩＣＨによる呼び出しのためのグループ分けの別の例を示す図。
【図１０】本発明のＰＩＣＨフォーマットの構成を示す図。
【図１１】本発明のＰＩＣＨフォーマットの別の構成例を示す図。
【図１２】本発明のＰＩＣＨフォーマットの別の構成例を示す図。
【図１３】本発明のＰＩＣＨフォーマットの別の構成例を示す図。
【図１４】本発明の第１の実施形態にかかるマルチモード通信端末における待ち受けから、次世代通信での着信、通信開始・終了までの流れを示すフロー図。
【図１５】ページングインジケータと未使用領域である通信方式検出部の検出の仕方を説明するための図。
【図１６】ページングインジケータ群番号と未使用領域ビットの対応を示す表。
【図１７】ページングインジケータ群番号と未使用領域ビットの対応を示す図。
【図１８】ページングインジケータ群番号と未使用領域ビットの別の対応示す表。
【図１９】ページングインジケータ群番号と未使用領域ビットの別の対応を示す図。
【図２０】ページングインジケータ群番号と未使用領域ビットの別の対応を示す表。
【図２１】本発明のＰＩＣＨフォーマットの別の構成例を示す図。
【図２２】ＰＩＣＨフレーム終了後から次世代通信方式のＰＣＨ２のフレーム先頭開始位置までの時間であるフレームオフセットを示す図。
【図２３】本発明のＰＩＣＨフォーマットの別の構成例を示す図。
【図２４】本発明の第３の実施形態にかかるマルチモード通信端末における待ち受けから、次世代通信での着信、通信開始・終了までの流れを示すフロー図。
【図２５】ページングインジケータ、未使用領域である通信方式検出部、およびオフセットの検出の仕方を説明するための図。
【符号の説明】
【００５５】
Ｍ＿ＰＳ＿１・・・マルチモード通信端末
Ｍ＿ＢＳ＿１・・・マルチモード基地局
７０１・・・無線部、７０２・・・ＷＣＤＭＡ信号処理部、７０３・・・次世代通信処理
部、
７０４・・・起動検出部、７０５・・・制御部
【図１】
2007300420.tif 000003
【図２】
2007300420.tif 000004
【図３】
2007300420.tif 000005
【図４】
2007300420.tif 000006
【図５】
2007300420.tif 000007
【図６】
2007300420.tif 000008
【図７】
2007300420.tif 000009
【図８】
2007300420.tif 000010
【図９】
2007300420.tif 000011
【図１０】
2007300420.tif 000012
【図１１】
2007300420.tif 000013
【図１２】
2007300420.tif 000014
【図１３】
2007300420.tif 000015
【図１４】
2007300420.tif 000016
【図１５】
2007300420.tif 000017
【図１６】
2007300420.tif 000018
【図１７】
2007300420.tif 000019
【図１８】
2007300420.tif 000020
【図１９】
2007300420.tif 000021
【図２０】
2007300420.tif 000022
【図２１】
2007300420.tif 000023
【図２２】
2007300420.tif 000024
【図２３】
2007300420.tif 000025
【図２４】
2007300420.tif 000026
【図２５】
2007300420.tif 000027